【事件の表示】
　特願２０００−５５９２０８「アミン反応生成物の粒子の製造方法」拒絶査定不服審判事件〔平成１２年　１月２０日国際公開、ＷＯ００／０２９８６、平成１４年　８月　６日国内公表、特表２００２−５２４５７３〕について、次のとおり審決する。
【結　論】
　本件審判の請求は、成り立たない。
【理　由】
第１．手続の経緯
　本願は，１９９９年７月１２日（パリ条約による優先権主張外国庁受理　１９９８年７月１０日，欧州特許庁（ＥＰ））を国際出願日とする出願であって，平成１９年８月３日付けで拒絶理由が通知され，平成２０年２月７日に意見書及び手続補正書が提出され，同年３月３日付けで拒絶査定がされ，同年６月５日に拒絶査定に対する審判が請求され，同年８月２５日に審判請求書の手続補正書が提出されたものである。
　
第２．本願発明
　本願の請求項１〜２６に係る発明は，平成２０年２月７日付け手続補正によって補正された明細書の記載からみて，その特許請求の範囲の請求項１〜２６に記載された事項により特定される次のとおりのものである。
　
「【請求項１】
　第１級および／または第２級アミン官能基を含む化合物と、活性ケトンまたはアルデヒド含有成分とによる、処理されたアミン反応生成物の粒子を製造する方法であって、
　前記第１級および／または第２級アミン官能基が、アミノアリール、ポリアミン、アミノ酸、ポリアミノ酸、グルカミン、デンドリマー、分子量が６００〜５０、０００のポリビニルアミン、分子量が４００〜３００，０００のアミノ置換されたポリビニルアルコール、ポリオキシエチレンビス（アミン）、ポリオキシエチレンビス（６−アミノヘキシル）、直線状または分岐鎖状のＮ，Ｎ’−ビス−（３−アミノプロピル）−１，３−プロパンジアミン、１，４−ビス−（３−アミノプロピル）ピペラジン、及びこれらの混合物からなる群から選択されてなるものであり、
　前記活性ケトンまたはアルデヒド含有成分が、香味料ケトンまたはアルデヒド成分、生物抑制ケトンまたはアルデヒド剤、香料、防虫剤および／または防蛾剤、殺菌剤、およびこれらの混合物からなる群から選択されてなるものであり、
　前記活性ケトンまたはアルデヒド含有成分と、前記第１級および／または第２級アミン官能基を含む化合物とを反応させて、アミン反応生成物を形成し、
　ａ）前記アミン反応生成物を用意し、及び
　ｂ）前記アミン反応生成物をキャリヤー共に混合することを含んでなり、
　前記キャリヤーが、有機重合体状化合物、ワックス、パラフィン、オイル、グリセリド、モノグリセリド、ジグリセリド、トリグリセリド、陰イオン系界面活性剤、非イオン系界面活性剤、陽イオン系界面活性剤、双生イオン系界面活性剤、およびそれらの混合物からなる群から選択されてなるものであり、かつ、融点が３０℃〜１３５℃のものであり、前記アミン反応生成物の量が、前記処理されたアミン反応生成物の１重量％〜７５重量％の範囲である、方法。
　【請求項２】
　前記粒子を処理し、被覆された粒子を形成させてなる、請求項１に記載の方法。
　【請求項３】
　前記アミン反応生成物の粘度が１０００ cps超過である、請求項１または２に記載の方法。
　【請求項４】
　前記キャリヤーの融点が４５℃〜８５℃の範囲である、請求項１〜３の何れか一項に記載の方法。
　【請求項５】
　前記キャリヤー材料の量が、前記処理されたアミン反応生成物による製造された粒子の３重量％〜９５重量％の範囲である、請求項１〜４の何れか一項に記載の方法。
　【請求項６】
　前記被覆が水溶性凝集剤から製造されるものである、請求項２〜５の何れか一項に記載の方法。
　【請求項７】
　前記水溶性凝集剤が、水溶性有機重合体状化合物、水溶性単量体状ポリカルボキシレートまたはそれらの酸形態、単独または共重合体状ポリカルボン酸またはそれらの塩（前記ポリカルボン酸が２個以下の炭素原子により互いに分離された少なくとも２個のカルボキシル基を含んでなる）、炭酸塩、重炭酸塩、ホウ酸塩、リン酸塩、硫酸塩、無機過水和物塩、ケイ酸塩、デンプン、シクロデキストリン、およびそれらの混合物の群から選択されてなるものである、請求項６に記載の方法。
　【請求項８】
　請求項１〜７の何れか一項に記載の方法により製造された、処理されたアミン反応生成物。
　【請求項９】
　一種以上の洗濯成分または洗浄成分と、請求項８に記載の処理されたアミン反応生成物とを含んでなる、最終組成物。
　【請求項１０】
　前記最終組成物が、洗濯洗剤組成物、硬質表面洗浄組成物、及び身体用洗浄組成物から選択されるものである、請求項９に記載の最終組成物。
　【請求項１１】
　前記組成物が、クレーを含んでなる洗濯洗剤組成物である、請求項１０に記載の最終組成物。
　【請求項１２】
　残留芳香を表面に付与する方法であって、
　前記表面に、請求項８に記載の処理されたアミン反応生成物を接触させ、その後に、
　前記処理した表面に、水性媒体を接触させることにより、香料を放出してなることを含んでなる、方法。
　【請求項１３】
　請求項１０又は１１に記載の洗濯洗剤組成物を備えてなる、包装された組成物。
　【請求項１４】
　前記アミン反応生成物の量が、前記処理されたアミン反応生成物の５重量％〜３０重量％の範囲である、請求項１〜７の何れか一項に記載の方法　
　【請求項１５】
　前記キャリヤー材料の量が、前記処理されたアミン反応生成物による製造された粒子の１５重量％〜８０重量％の範囲である、請求項５に記載の方法。
　【請求項１６】
　前記キャリヤー材料の量が、前記処理されたアミン反応生成物による製造された粒子の２５重量％〜７５重量％の範囲である、請求項１５に記載の方法。
　【請求項１７】
　前記アミン反応生成物の量が、前記被覆された粒子の１重量％〜７５重量％の範囲である、請求項２〜７の何れか一項に記載の方法。
　【請求項１８】
　前記アミン反応生成物の量が、前記被覆された粒子の５重量％〜３０重量％の範囲である、請求項１７に記載の方法。
　【請求項１９】
　前記第１級および／または第２級アミン官能基が、エチル−４−アミノベンゾエート、ポリエチレンイミン重合体、グルカミン、ジアミノブタンデンドリマー、分子量が６００、１，２００、３，０００、２０，０００、２５，０００又は５０，０００のポリビニルアミン、分子量が４００〜３００，０００のアミノ置換ポリビニルアルコール、ポリオキシエチレンビス（アミン）、ポリオキシエチレンビス（６−アミノヘキシル）、直線状または分岐鎖状のＮ，Ｎ’−ビス−（３−アミノプロピル）−１，３−プロパンジアミン、１，４−ビス−（３−アミノプロピル）ピペラジン、およびこれらの混合物からなる群から選択されてなるものである、請求項１〜７の何れか一項に記載の方法。
　【請求項２０】
　前記第１級および／または第２級アミン官能基が、エチル−４−アミノベンゾエート、ポリエチレンイミン重合体、ポリリシン、架橋ポリリシン、直線状または分岐鎖状のＮ，Ｎ’−ビス−（３−アミノプロピル）−１，３−プロパンジアミン、１，４−ビス−（３−アミノプロピル）ピペラジン、およびこれらの混合物からなる群から選択されてなるものである、請求項１９に記載の方法。
　【請求項２１】
　前記防虫剤および／または防蛾剤が、シトロネラル、シトラール、Ｎ，Ｎジエチルメタトルアミド、ロツンジオール、８−アセトキシカルボタナセノン、およびこれらの混合物からなる群から選択されてなるものである、請求項１〜７の何れか一項に記載の方法。
　【請求項２２】
　前記殺菌剤が、グルタルアルデヒド、シンナムアルデヒド、およびこれらの混合物からなる群から選択されてなるものである、請求項１〜７の何れか一項に記載の方法。
　【請求項２３】
　前記香料が、アルファ−ダマスコン、デルタ−ダマスコン、カルボン、ガンマ−メチル−イオノン、ダマスセノン、ヘディオン、２，４−ジメチル−３−シクロヘキセン−１−カルボキシアルデヒド、フロルヒドラル、リリアル、ヘリオトロピン、トランス−２−ノネナール、シトラール、およびこれらの混合物からなる群から選択されてなるものである、請求項１〜７の何れか一項に記載の方法。
　【請求項２４】
　前記キャリアーが、有機重合体状化合物、非イオン系界面活性剤、およびこれらの混合物からなる群から選択されてなるものである、請求項１〜７の何れか一項に記載の方法。
　【請求項２５】
　前記キャリアーが、非イオン系エトキシル化アルコールから選択された非イオン系界面活性剤である、請求項２４に記載の方法。
　【請求項２６】
　前記水溶性凝集剤が、デンプン、炭酸塩、シクロデキストリン、およびこれらの混合物からなる群から選択されてなるものである、請求項７に記載の方法。」
　（以下，請求項１に係る発明を「本願発明１」，請求項８に係る発明を「本願発明８」といい，上記補正された明細書を「本願明細書」という。）
　
第３．原査定の拒絶の理由
　原査定の拒絶の理由は，本願請求項１，８に係る発明は，先の拒絶理由で引用した刊行物３〜５に記載された発明に基づいて当業者が容易に発明をすることができたものであるから，特許法第２９条第２項の規定により特許を受けることができない，という理由を含むものである。
　
第４．刊行物及び記載事項
　刊行物１〜３は次のとおりであって，以下の事項が記載されている。
　　　　刊行物１：特開平５−６５２５６号公報
　　　　　　　　　（原査定における「刊行物３」に同じ。）
　　　　刊行物２：特開平３−４１１９７号公報
　　　　　　　　　（同「刊行物４」に同じ。）
　　　　刊行物３：特開平３−３３１９６号公報
　　　　　　　　　（同「刊行物５」に同じ。）
　
（１）刊行物１：特開平５−６５２５６号公報
（１−ａ）「【請求項１】  アントラニル酸メチルを３−フェニルブタナールと反応させることによって得られる生成物からなる組成物。」
（１−ｂ）「【請求項５】  活性成分として請求項１または２記載の組成物を含有する付香製品。
【請求項６】  香水またはコロン、石けん、シャワーまたは浴用ゲル、シャンプー、香粧品、人体または空気脱臭剤、洗剤または衣類柔軟剤、または住居用製品の形の、請求項５記載の製品。」
（１−ｃ）「【００１２】実際に、先行技術において、本発明による組成物の特徴である匂いの特徴の組合せを有するシッフ塩基は見出せなかった。本発明のフローラルノートは、その匂いがむしろフローラル・フルーティノートを特徴とする公知シッフ塩基の匂いよりも明白に一そう顕著である。他面において、本発明による組成物のオリジナルな支配的イエローフラワータイプの特徴はとくに有用である。実際に、その香りは親アルデヒド３−フェニルブタナールの香りを想起させるが、よりソフトな特徴を有し、これにより本発明による組成物は上記のアルデヒドよりも香料製造において容易に使用される。」
（１−ｄ）「【００１４】下記の実施例から、認めうるように、その香調の卓越した永続性により、本発明による組成物は洗剤および衣類柔軟剤の付香のための使用に極めて有利であり、住居用製品の付香にも便利である。」
（１−ｅ）「【００２５】
【実施例】次の製造例（例中温度は０℃で指示され、略語は通常の意味を有する）は、下記の異なる製法によって得られた本発明による組成物の組成を記載する。
【００２６】方法１
磁気撹拌機および水分離器を備えた三つ口フラスコに、アントラニル酸メチル９０．６ｇ（０．６０ｍｏｌ）、３−フェニルブタナール７４．０ｇ（０．５０ｍｏｌ）および水３００ｍｌを装入した。混合物を、１００％収率に相当する水量（９．０ｍｌ）が形成するまで、２０時間還流させた。次に、分離器を非常に短かいカラムヘッドに代えて、トルエンを大気圧で蒸留した。冷却した後、１５×１２2Ｐａの真空を徐々に適用し、過剰のアントラニル酸メチルを蒸留した（油浴の最高温度：１１０℃）。混合物を冷却し、真空下に置き、反応生成物をむしろ迅速に蒸留し（浴温：１１０℃／０．１Ｐａ）、その間分解をさけるため温度を慎重に制御した。
【００２７】図１は、得られた反応生成物の、ＣＨＣｌ3中３６０ＭＨｚで測定したプロトンＮＭＲスペクトルを示す。
【００２８】混合物の成分のＧＣ／ＭＳ結合スペクトル（毛細管カラムＳＰＢ１３０ｍ，１６０゜〜２３０゜，７ｍｉｎ）は次のとおりであった：
Ａ．メチルＮ−（３−フェニルブチリデン）アントラニレート
（混合物の１０重量％）・・・
Ｂ．メチル（Ｅ）−Ｎ−（３−フェニル−１−ブテニル）アントラニレート（混合物の３０重量％）・・・
Ｃ．メチル（Ｚ）−Ｎ−（３−フェニル−１−ブテニル）アントラニレート（混合物の６０重量％）」
（１−ｆ）「【００３５】例  ２
直接性試験
織物バッチを、洗浄サイクルの間、本発明による組成物０．１重量％を加えた柔軟剤で処理した。この処理後、湿った織物は、イエローフラワータイプの心持良いノートを特徴とする匂いを発散した。乾燥織物に関して、これらの織物はなお強いフローラルグリーンの匂いを発散し、そのグリーンノートは３−フェニルブタナールの匂い特徴を想起させた。」
　
（２）刊行物２：特開平３−４１１９７号公報
（２−ａ）「１．被覆時に平均サイズ約３５０μ以下を有する被覆香料粒子であって、分子量約１００〜約３０，０００、融点約３７℃〜約１９０℃および硬さ値約０．１〜約１５を有する水不溶性重合体担体物質約３０％〜約９５％に分散された香料約５％〜約７０％を含み、前記粒子はそれらの外面上に脆砕性被覆物を有することを特徴とする被覆香料粒子。」（特許請求の範囲第１項）
（２−ｂ）「本発明は、制御された香料放出、即ち、所望の香料効果を達成するであろう条件下で所定時点での香料放出の概念に基づく。・・・
　香料の制御された放出の概念の１アスペクトは、長期間にわたっての香料の遅い放出を与えることである。このことは、一般に、香料を、少量の香料が所定時間にわたって放出されるように香料を本質的に「トラップ」するであろう物質とブレンドすることによって達成されている。所定時間にわたって香料の制御された放出を与えるために香料が配合された高分子量重合体物質の使用は、既知である。」（第３頁左上欄第６行〜右上欄第１行）
（２−ｃ）「液体並びに乾燥粒状または粉末組成物に配合でき且つ長時間貯蔵安定性を与えることができる香料粒子を含む組成物を提供することが望ましい。
　広範囲の香料物質をクリーニングまたは布帛または繊維コンディショニングプロセス時に布帛または他の表面に配送するための方法を提供することが望ましい。
　改善された製品臭、クリーニングプロセス時に放出された改善された香料臭、およびクリーニングすべき表面に配送される香料の改善されたにおいおよび強度を与えるであろう香料入りクリーニングまたはコンディショニング組成物を有することが最も望ましいであろう。
　流体組成物で安定であるが使用中に香料を遊離する香料入り粒子を提供することが特に望ましいであろう。」（第４頁左下欄第１１行〜右下欄第６行参照）
（２−ｄ）「本発明は、長期間の貯蔵および厳しいクリーニング条件を通してクリーニングおよびコンディショニング組成物に含有される香料の保存、保護および配送を可能にする。このことは、小さい粒子の形態で担体物質中で香料の隔離によって達成される。」（第５頁右上欄第１４〜１９行）
（２−ｅ）「香料入り粒子
　本発明の香料入り粒子は、或る担体物質に分散された香料からなる。香料入り粒子は、脆砕性被覆物質で被覆し、この脆砕性被覆物質は使用中に破断して香料入り粒子を放出し、この香料入り粒子は香料を放出する。
　本発明の文脈においては、「香料」なる用語は、芳香を放ついかなる物質、または悪臭反作用剤として作用するいかなる物質も意味する。」（第５頁左下欄第１〜９行）
（２−ｆ）「一般に、本発明の香料入り粒子は、香料約５％〜約７０％、好ましくは約５％〜約５０％を含むであろう。粒子で使用する香料の正確な量は、使用する特定の芳香の強度、および所望のにおい効果に応じて大幅に変化するであろう。
　香料入り粒子の担体物質は、本発明で有用であるために或る基準を満たさなければならない。先ず、担体物質は、水不溶性重合体物質でなければならない。更に、担体物質は、分子量約１００〜約３０，０００、好ましくは約５００〜約５０００を有していなければならない。担体物質の分子量は、いかなる標準法によっても測定できる。また、担体物質は、融点約３７℃〜約１９０℃、典型的には３７℃〜１３０℃を有していなければならない。」（第６頁右上欄第１２行〜左下欄第６行）
（２−ｇ）「有用な担体物質の非限定例としては、前記基準を満たし、例えば、水不溶性であり、分子量約１００〜約３０，０００を有し、融点約３７℃〜１９０℃および硬さ値０．１〜１５を有するポリエチレン、ポリアミド、ポリスチレン、ポリイソプレン、ポリカーボネート、ポリエステル、ポリアクリレート、ビニル重合体およびポリウレタンおよびそれらの混合物が挙げられる。・・・
　これらの明記の基準のすべてを満たす１つの担体物質は、ペトロライト・スペシャルティー・ポリマーズ・グループによって商品名ポリワックス（ＰＯＬＹＷＡＸ）２０００で販売されている。この物質は、分子量約２，０００、融点約２５９゜Ｆ（１２６℃）および７７゜Ｆ（２５℃）での硬さ値（前記のように測定した時）約０．５を有するポリエチレンである。・・・別のかかる物質は、ポリワックス５００である。」（第７頁左上欄第８行〜右上欄第１４行）
（２−ｈ）「製法
　脆砕性被覆物の場合には、製法は、被覆物を一種の「シェル」として香料入り粒子に適用することに基づく。担体物質が本法で使用する溶媒の沸点よりも低い融点を有する香料入り粒子の場合には、本法は、担体と香料とを一緒に溶融し、溶融混合物を担体溶融温度よりも高く保持された「シェル」物質または好適な前駆物質の溶媒溶液に加えることを包含する。系は、シェル溶液中の所望の液滴サイズの担体／香料の乳濁液を調製するのに十分に攪拌する。次いで、カプセル化物質を付着するのに必要な条件を確立し且つ全体を冷却して所望の脆砕性「シェル」を有するカプセル化固体粒子をつくる。」（第８頁右上欄第１４行〜左下欄第７行）
（２−ｉ）「例Ｉ
　複雑なコアセルベーションによって付着された親水性被覆物を含有する香料粒子を次の通り調製する。
　ちょうど溶融するまで、ポリワックス５００（分子量５００を有するポリエチレン）１３２ｇを熱板上のビーカー中で約１００℃において加熱する。室温の香料４４ｇを溶融ポリワックス５００に加え、加熱を維持してこの芯混合物を１００℃に戻す。
　溶融芯物質を１ｌのステンレス製ビーカー中で芯の融点よりも１５〜２０℃高い温度に維持された５％ゼラチン水溶液〔サナフィ（Ｓａｎａｆｉ）型Ａ、ブルーム強度２７５〕４００ｇに加え、所望の液滴サイズ約１００μに達するまで、攪拌によって乳化する。次いで、高温の１１％アラビアゴム溶液２００ｇを加え、攪拌を約３０分間維持する。
　ｐＨを氷酢酸の滴下によって約４．２に下げ、次いで、ビーカー内容物を室温で攪拌水１１に注ぐ。このことは、芯混合物を凝固し、ゼラチン−アラビアゴムコアソルベートを付随的に付着させる。
　被覆物は、スラリーを氷水中で約５℃に冷却することによって固化する。スラリーは、この時点で使用してもよく、または粒子は大体等しい容量の１０％塩化ナトリウムを加え、カプセルを分液漏斗で除去することによってスラリー中の未付着コアソルベートから分離してもよい。このことは、遊離コアソルベートを完全に除去するために必要に応じて繰り返してもよい。粒子は、濾過し、濾過ケークを水洗し、次いで、イノビオパノールで洗浄した後、２５℃で一晩中風乾することによって乾燥してもよい。
　次いで、粒子は、所望のサイズ範囲に篩分けてもよい。」（第９頁左上欄第５行〜右上欄第１９行）
（２−ｊ）「例ＩＶ
　粒状洗濯洗剤は、次の通りである。
・・・
　通常の手段を使用して、前記組成物を調製する。
組成物を例Ｉの香料粒子と次の通り組合わせる。洗剤組成物が香料約０．３％を含むように例Ｉの所定量の香料粒子を洗剤組成物と組合わせる。
　粒子は、洗剤粒状物と単純に混合してもよい。
　包装時および輸送時の香料粒子の偏析（洗剤粒状物と比較して粒子のより小さいサイズによる）を防止するために、粒子は、場合によって洗剤粒状物との組合わせ前に水溶性被覆物質で被覆または凝集できる（脆砕性被覆物の上部）。このことは、シュギ（Ｓｃｈｕｇｉ）ミキサー〔フレキソミックス（Flexomix）１６０〕で達成でき、このミキサーにおいて十分量のデキストリン接着剤溶成（デキストリン２％、水３％）を粒子上に噴霧して他の洗剤粒状物と同じサイズ範囲内の香料粒子の凝集体を生ずる。
　香料は、長い貯蔵期間にわたって洗剤組成物中の漂白剤による劣化から粒子中で保護される。自動洗濯機中で洗濯プロセスで使用する時には、この洗剤組成物は、実質上元の状態の香料芳香を製品から洗浄プロセスを通して布帛上に与えるであろう。」（第１０頁右上欄第１１行〜第１１頁右上欄第２行）
　
（３）刊行物３：特開平３−３３１９６号公報
（３−ａ）「１．香料５〜７０重量％、好ましくは５〜５０重量％を含む平均サイズ３５０μ未満、好ましくは３００μ未満を有する香料粒子であって、前記香料は分子量１００〜３０，０００、融点３７℃〜１９０℃および硬さ値０．１〜１５を有する水不溶性重合体担体物質約３０％〜約９５％に分散されてなることを特徴とする香料粒子。」（特許請求の範囲第１項）
（３−ｂ）「本発明は、制御された香料放出、即ち、所望の香料効果を達成するであろう条件下で所定時点での香料放出の概念に基づく。・・・
　香料の制御された放出の概念の１アスペクトは、長期間にわたっての香料の遅い放出を与えることである。このことは、一般に、香料を、少量の香料が所定時間にわたって放出されるように香料を本質的に「トラップ」するであろう物質とブレンドすることによって達成されている。所定時間にわたって香料の制御された放出を与えるために香料が配合された高分子量重合体物質の使用は、既知である。」（第２頁右下欄第８行〜第３頁左上欄第３行）
（３−ｃ）「液体並びに乾燥粒状または粉末組成物に配合でき且つ長時間貯蔵安定性を与えることができる香料粒子を含む組成物を提供することが望ましいであろう。
　広範囲の香料物質をクリーニングプロセス時に布帛または他の表面に配送するための方法を提供することが望ましいであろう。
　改善された製品臭、クリーニングプロセス時に放出された改善された香料臭、およびクリーニングすべき表面に配送された香料の改善されたにおいおよび強度を与えるであろう香料入りクリーニングまたはコンディショニング組成物を有することが最も望ましいであろう。」（第４頁右上欄第１３行〜左下欄第５行）
（３−ｄ）「本発明は、長期間の貯蔵および厳しいクリーニング条件を通してクリーニングおよびコンディショニング組成物に含有される香料の保存、保護および配送を可能にする。このことは、小さい粒子の形態で担体物質中で香料の隔離によって達成される。」（第４頁右下欄第１３〜１８行）
（３−ｅ）「粒子
　本発明の香料粒子は、或る担体物質に分散された香料からなる。
　本明細書の文脈においては、「香料」なる用語は、芳香を放ついかなる物質、または悪臭反作用剤として作用するいかなる物質も意味する。」（第４頁右下欄第１９行〜第５頁左上欄第４行）
（３−ｆ）「一般に、本発明の香料入り粒子は、香料約５％〜約７０％、好ましくは約５％〜約５０％を含むであろう。粒子で使用する香料の正確な量は、使用する特定の芳香の強度、および所望のにおい効果に応じて大幅に変化するであろう。
　香料入り粒子の担体物質は、本発明で有用であるために或る基準を満たさなければならない。先ず、担体物質は、水不溶性重合体物質でなければならない。更に、担体物質は、分子量約１００〜約３０，０００、好ましくは約５００〜約５０００を有していなければならない。担体物質の分子量は、いかなる標準法によっても測定できる。また、担体物質は、融点約３７℃〜約１９０℃、典型的には３７℃〜１３０℃を有していなければならない。」（第５頁右下欄第７行〜第６頁左上欄第１行）
（３−ｇ）「有用な担体物質の非限定例としては、前記基準を満たし、例えば、水不溶性であり、分子量約１００〜約３０，０００を有し、融点約３７℃〜１９０℃および硬さ値０．１〜１５を有するポリエチレン、ポリアミド、ポリスチレン、ポリイソプレン、ポリカーボネート、ポリエステル、ポリアクリレート、ビニル重合体およびポリウレタンおよびそれらの混合物が挙げられる。
　これらの明記の基準のすべてを満たす１つの担体物質は、ペトロライト・スペシャルティー・ポリマーズ・グループによって商品名ポリワックス（ＰＯＬＹＷＡＸ）２０００で販売されている。この物質は、分子量約２，０００、融点約２５９°Ｆ（１２６℃）および７７゜Ｆ（２５℃）での硬さ値（前記のように測定した時）約０．５を有するポリエチレンである。」（第６頁左下欄第３〜１８行）
（３−ｈ）「香料含有粒子は、次の通り調製する。先ず、担体物質を融点にゆっくりと加熱する。担体物質は、物質をちょうど溶融するのに必要なものより以上には加熱しない。次いで、香料を室温で一般に油または液体として溶融担体物質に迅速に加える。２つを迅速に混合して均一なブレンドとし、次いで、完全に凝固するまで、液体窒素（またはドライアイスまたは混合物を迅速に冷却するであろう他の手段）で迅速に冷却する。次いで、固体物質を一般に粉砕またはミル処理によって細分して、所望の平均サイズの粒子を調製する。」（第７頁左上欄第９〜１９行）
（３−ｉ）「例Ｉ
　本発明の洗濯組成物で有用な香料粒子を次の通り調製する。
　ちょうど溶融するまで、ポリワックス（ＰＯＬＹＷＡＸ）２０００（分子量２０００を有するポリエチレン）２５ｇを約１３０℃で熱板上のビーカー中で加熱する。室温の香料８．３３ｇを溶融ポリワックスに加え、混合物は流動状態のままである。
　直径約７ｃｍ、高さ約１０ｃｍ、厚さ約０．５ｃｍであり且つ窒素の放出を可能にするために上部のピンホール以外は完全に密閉された特注のステンレス鋼製円筒容器を有するオステライザー（Ｏｓｔｅｒｉｚｅｒ）ブレンダーを使用して、固体ポリワックス香料を粉砕して粒子とする。先ず、ブレンダー容器を液体窒素で冷却する。
　溶融ポリワックス／香料を迅速に混合し、次いで、ブレンダー容器に注ぎ、更に他の液体窒素を加えてポリワックス／香料混合物を迅速に冷却し／硬化する。
　ブレンダーを最高速度に設定し、固体ポリワックス／香料を３０秒間粉砕する。ブレンダー容器の上部および側部をこつこつ打って、粒子をノックしてブレンダー容器の底に戻し、固体ポリワックス／香料を再度高速で３０秒間粉砕する。
　粒子は、メタノールで洗浄して、粒子表面を余りに粘着性にさせることがある香料が配合されていない粒子表面から浄化してもよい。粒子４０ｇ当たり約１００ｍｌのメタノールで一般に十分である。吸引濾過を使用して過剰のメタノールを粒子から除去し、粒子を好ましくは解放空気中で追加的に放置して、残りのメタノールを蒸発させる。
　粒子は、篩分けて最も望ましいサイズ範囲内の粒子を得てもよい。２５０および１２５μの篩目の開きを有する篩は、主として１２５〜２５０μサイズ範囲内の粒子を得るために使用してもよい。
　かくて篩分けられた粒子は、１２５〜２５０μサイズ範囲約８０％である。これらの粒子は、組成物に香料の量約０．１％〜約３．０％を与えるために通常の洗濯製品に加えてもよい。粒子は、洗濯プロセスを通してトラップされた香料の保護を可能にする。粒子は、洗濯された布類に接着し且つ乾燥機に運ばれる。布類を熱昇温環境で乾燥する時に、香料は、粒子から拡散する。この放出された香料は、元の状態から本質上変化していない。」（第１８頁右上欄第２行〜右下欄第６行）
（３−ｊ）「例ＩＩＩ
　下記のものは、漂白剤含有粒状洗濯洗剤組成物である。
　・・・
　通常の手段を使用して、前記組成物を調製する。
　組成物を例Ｉの香料粒子と次の通り組合わせる。
　洗剤組成物が香料約０．３％を含むように例Ｉの所定量の香料粒子を洗剤組成物と組合わせる（洗剤組成物の約１．５％は香料粒子からなるであろう）。
　粒子は、洗剤粒状物と単純に混合してもよい。
包装時および輸送時の香料粒子の偏析（洗剤粒状物と比較してより小さいサイズによる）を防止するために、粒子は、洗剤粒状物との合流前に水溶性被覆物質で被覆または凝集できる。このことは、シュギ（Ｓｅｈｕｇｉ）ミキサー〔フレキソミックス（Ｆｌｅｘｏｍｉｘ）１６０〕で達成でき、このミキサーにおいて十分量のデキストリン接着剤溶液（デキストリン２％、水３％）を粒子上に噴霧して他の洗剤粒状物と同じサイズ範囲内の香料粒子の凝集体を生ずる。
　香料は、長い貯蔵期間にわたって洗剤組成物中の漂白剤による劣化から粒子中で保護する。洗濯プロセスで使用する時には、この洗剤組成物は、実質上元の状態の香料芳香を製品から洗浄プロセスを通して布帛まで与えるであろう。」（第１９頁左上欄第１７行〜右下欄第２行）
　
第５．当審の判断
１．刊行物１に記載された発明
　刊行物１には，以下の記載事項がある。
・アントラニル酸メチルを３−フェニルブタナールと反応させることによって得られる生成物からなる組成物（摘記１−ａ，１−ｅ参照）
・本発明による組成物の特徴である匂いが３−フェニルブタナールの香りを想起させること（摘記１−ｃ，１−ｆ参照）
・本発明の組成物を洗剤および衣類柔軟剤の付香に用いること（摘記１−ｂ，１−ｄ，１−ｆ参照）
　してみると，刊行物１には，
「アントラニル酸メチルを３−フェニルブタナールと反応させることによって得られる生成物からなる、洗剤および衣類柔軟剤の付香に用いる組成物」の発明（以下、「引用発明」という。）が記載されている。
　
２．対比・判断
２−１本願発明１について
（１）対比
　本願発明１と引用発明とを対比する。
　まず，本願発明１の「前記第１級および／または第２級アミン官能基が、アミノアリール、・・・からなる群から選択されてなるものであり」は，技術常識からして，「前記第１級および／または第２級アミン官能基を含む化合物が、アミノアリール、・・・からなる群から選択されてなるものであり」の意味と認める。
　そして，本願発明１における「アミノアリール」は，本願明細書の段落［００２２］に「好ましいアミノアリール誘導体は、４−アミノベンゾエート化合物のアルキルエステルを包含するアミノ−ベンゼン誘導体」と記載され，本願明細書のその他にも「アミノアリール」との用語はなく，「アミノアリール誘導体」との用語しか記載されていないから，本願発明１の「アミノアリール」は「アミノアリール誘導体」の意味であり，「アミノ−ベンゼン誘導体」を含む。そして，引用発明の「アントラニル酸メチル」は，ベンゼン環にアミノ基を有する化合物であるから「アミノ−ベンゼン誘導体」であり，本願発明１の「アミノアリール」に相当する。
　なお，本願明細書の段落番号［００１５］には，「好ましくは、第１級および／または第２級アミン化合物は、臭気強度インデックスが、ジプロピレングリコール中メチルアントラニレートの１％溶液の臭気強度インデックスより低いことも特徴である。」と記載されているが，請求項１にはこのような発明特定事項は記載されておらず，さらに，「好ましくは」との前提が付されている以上，本願発明１の「第１級および／または第２級アミン官能基を含む化合物」が「臭気強度インデックスが，ジプロピレングリコール中メチルアントラニレート（アントラニル酸メチル）の１％溶液の臭気強度インデックスより低い」ものに限定している，すなわち，アントラニル酸メチルを除外しているということはできない。
　次に，本願発明１の「活性ケトンまたはアルデヒド含有成分が、・・・香料・・・から選択され」るとは，本願明細書の段落番号［００４５］に「香料アルテヒ成分（審決注：香料アルデヒド成分の誤記と認める）は、芳香を放つ特性を有する成分を包含する。」と記載されているから，芳香を放つ特性，すなわち，香りを有するアルデヒドを含むものと認められる。そして，引用発明の「３−フェニルブタナール」は，香りを有するアルデヒドである（摘記１−ｃ，１−ｆ参照）から，本願発明の「活性アルデヒド含有成分」が「香料」であることに相当する。
　
　してみると，本願発明１と引用発明とは，
　「第１級アミン官能基を含む化合物と、活性アルデヒド含有成分とによる、アミン反応生成物であって、
　前記第１級アミン官能基が、アミノアリールであり、
　前記活性アルデヒド含有成分が、香料であり、
　前記活性アルデヒド含有成分と、前記第１級アミン官能基を含む化合物とを反応させて，形成したアミン反応生成物」
である点で一致し，
　前者が「処理されたアミン反応生成物の粒子を製造する方法であって、
　ａ）前記アミン反応生成物を用意し、及び
　ｂ）前記アミン反応生成物をキャリヤー共に混合することを含んでなり、
　前記キャリヤーが、有機重合体状化合物、ワックス、パラフィン、オイル、グリセリド、モノグリセリド、ジグリセリド、トリグリセリド、陰イオン系界面活性剤、非イオン系界面活性剤、陽イオン系界面活性剤、双生イオン系界面活性剤、およびそれらの混合物からなる群から選択されてなるものであり、かつ、融点が３０℃〜１３５℃のものであり、前記アミン反応生成物の量が、前記処理されたアミン反応生成物の１重量％〜７５重量％の範囲である、方法。」であるのに対して，後者が処理されていない「アミン反応生成物」そのものである点（以下「相違点１」という。）で相違する。
　
（２）相違点１の判断
ア．刊行物２，３の記載事項
　刊行物２には，以下の事項が記載されている。
（２ａ’）香料５〜７０重量％を含む香料粒子であって，前記香料は，融点３７℃〜１９０℃を有する水不溶性重合体担体物質約３０％〜約９５％に分散された香料粒子（摘記２−ａ参照）の製造方法であって，
　担体物質と香料とを一緒に溶融し，溶融混合物を担体溶融温度よりも高く保持された「シェル」物質または好適な前駆物質の溶媒溶液に加え，カプセル化物質を付着するのに必要な条件を確立し且つ全体を冷却してカプセル化固体粒子を作る（摘記２−ｈ，２−ｉ参照）こと。
（２ｂ’）香料粒子が，担体物質に分散された香料からなり，「香料」は芳香を放ついかなる物質も意味する（摘記２−ｅ参照）こと
（２ｃ’）担体物質の融点が，典型的には３７℃〜１３０℃であり（摘記２−ｆ）であり，ポリエチレン，ポリアミド，ポリスチレン，ポリイソプレン，ポリカーボネート，ポリエステル，ポリアクリレート，ビニル重合体およびポリウレタンであり，その一例が，商品名ポリワックス（ＰＯＬＹＷＡＸ）２０００で販売されている，融点１２６℃のポリエチレンである（摘記２−ｇ参照）こと。
（２ｄ’）香料粒子が，所定時間にわたって香料の制御された放出を与えるために，香料が配合された高分子量重合体物質を含むものであって（摘記２−ｂ参照），乾燥粒状または粉末組成物に配合でき且つ長時間貯蔵安定性を与え，広範囲の香料物質をクリーニングまたは布帛または繊維コンディショニングプロセス時に布帛または他の表面に配送でき，流体組成物で安定であるが使用中に香料を遊離するものであり（摘記２−ｃ，２−ｄ参照），香料粒子が洗浄剤に配合されて用いられる（２−ｊ参照）こと。
　また，刊行物３には，以下の事項が記載されている。
（３ａ’）香料５〜７０重量％を含む香料粒子であって，前記香料は，融点３７℃〜１９０℃を有する水不溶性重合体担体物質約３０％〜約９５％に分散された香料粒子（摘記３−ａ参照）の製造方法であって，
　担体物質を融点に加熱し，香料を混合して均一なブレンドとし，次いで，完全に凝固するまで，冷却し，固体物質を一般に粉砕またはミル処理によって細分して，粒子を調製する（摘記３−ｈ，３−ｉ参照）こと。
（３ｂ’）香料粒子が，担体物質に分散された香料からなり，「香料」は芳香を放ついかなる物質も意味する（摘記３−ｅ参照）こと。
（３ｃ’）担体物質の融点が，典型的には３７℃〜１３０℃であり（摘記３−ｆ）であり，ポリエチレン，ポリアミド，ポリスチレン，ポリイソプレン，ポリカーボネート，ポリエステル，ポリアクリレート，ビニル重合体およびポリウレタンであり，その一例が，商品名ポリワックス（ＰＯＬＹＷＡＸ）２０００で販売されている，融点１２６℃のポリエチレンである（摘記３−ｇ参照）こと。
（３ｄ’）香料粒子が，所定時間にわたって香料の制御された放出を与えるために，香料が配合された高分子量重合体物質を含むものであって（摘記３−ｂ参照），乾燥粒状または粉末組成物に配合でき且つ長時間貯蔵安定性を与え，広範囲の香料物質をクリーニングまたは布帛または繊維コンディショニングプロセス時に布帛または他の表面に配送でき，流体組成物で安定であるが使用中に香料を遊離するものであり（摘記３−ｃ，３−ｄ参照），洗剤に配合されて用いられる（３−ｊ参照）こと。
　すると，上記刊行物２，３には，
・所定時間にわたって香料の制御された放出を与え，洗剤に配合でき，長時間貯蔵性を与え，衣類に芳香を付けるために，特定の香料粒子を用いる（記載事項２ｄ’，３ｄ’参照）こと。
・その香料粒子の製造方法において，香料と高分子担体物質を混合する工程を含み（記載事項２ａ’，３ａ’参照），高分子担体物質がポリエチレン等で，かつ融点３７〜１３０℃であり（記載事項２ｃ’，３ｃ’参照），香料の量を香料粒子の５〜７０重量％（記載事項２ａ’，３ａ’）とすること。
　が記載されているといえる。
　
イ．相違点１の判断
　引用発明の「アミン反応生成物」は，「洗剤および衣類柔軟剤の付香に用いる」ものであって，「アミン反応生成物」は香料であるといえ，これを洗剤および衣類柔軟剤の付香に用いる際には，所定時間にわたって香料の制御された放出を与え，洗剤に配合でき，長時間貯蔵性を与え，衣類に芳香を付けるとの刊行物２，３に記載されるような技術課題があることは明らかである。
　そして，この技術課題が，香料と高分子担体物質（本願発明１の「キャリヤー」に相当する）を混合する工程を含み，高分子担体物質がポリエチレン等（本願発明１の有機重合体状化合物に相当する）で，融点３７〜１３０℃であり，香料の量が香料粒子の５〜７０重量％とする製造方法によって得られた香料入り粒子を提供することで解決できることも，刊行物２，３の記載から，当業者が容易に推測できることと認められる。
　なお，本願発明１の「処理されたアミン反応生成物の粒子」の「処理」とは，本願明細書の段落番号［００７０］の「典型的には、アミン反応生成物をキャリヤーと混合するだけで、それ以上処理しない場合、アミン反応生成物は、製造される粒子中で処理される反応生成物の１〜７５重量％、好ましくは１０〜６０重量％、より好ましくは１５〜４５重量％の量で存在する。」，同［００７１］の「アミン反応生成物のキャリヤーによる処理は、アミン反応生成物をキャリヤーと完全に混合することにより行なう。」との記載からして，アミン反応生成物とキャリヤーを混合するだけの場合も含むことは明らかである。
　してみると，引用発明の「アミン反応生成物」を，洗剤の付香に用いるに際して，アミン反応生成物を，所定時間にわたって香料の制御された放出を与え，洗剤に配合でき，長時間貯蔵性を与え，衣類に芳香を付けるために，
　香料であるアミン反応生成物が高分子担体物質に分散された香料入り粒子を製造する方法であって、
　ａ）前記アミン反応生成物を用意し，及び
　ｂ）前記アミン反応生成物を高分子担体物質（キャリヤー）共に混合し（処理し），
　前記高分子担体物質が，ポリエチレン等（有機重合体状化合物）であり，かつ，融点が３７℃〜１３０℃のものであり，前記アミン反応生成物の量が，粒子（前記処理されたアミン反応生成物）の５重量％〜７０重量％の範囲である，方法を適用して香料入り粒子を製造することは，当業者が容易に想到し得たことと認められる。
　
ウ．本願発明１の効果
　本願発明１の効果について検討する。
　本願発明１の効果は，本願明細書段落番号［０００３］に「従ってこの業界では，洗濯および洗浄製品で、より効率的で効果的に芳香を付与すること、特に長時間持続する芳香を布地に付与することが急務になっている。」，同［０００５］，［０００６］の「しかし、これらの化合物を使用する際の問題点は、完全に処方された組成物中へのそれらの化合物の配合である。実際、その様なアミン反応生成物は粘性であることが多く、そのために、これらの完全に処方された組成物中に配合するのが面倒である。」，「従って本発明の目的は、完全に処方された組成物中に容易に配合できる形態にあるアミン反応生成物を提供することである。」，同［０００８］の「有利なことに、粘性および非粘性のアミン反応生成物は、本発明により処理することにより、本発明により処理しなかったアミン反応生成物よりも優れた付着性および長時間持続する放出性を示すことも分かった。理論的な裏付けは無いが、その様なキャリヤーと混合することにより、キャリヤーがアミン反応生成物を取り囲むシェルとして作用し、攻撃的な洗浄液から保護すると共に、布地付着特性を強化すると考えられる。」との記載からみて，長時間持続する芳香を布地に付与することができること，組成物中に容易に配合できる形態にあるアミン反応生成物を提供できることにあるものと認める。
　しかしながら，このような効果については，刊行物２，３に記載されており（記載事項２ｄ’，３ｄ’参照），引用発明の「アミン反応生成物」を香料として刊行物２，３に記載された製造方法を適用して香料入り粒子とすることによっても，同様の効果を奏するものと推認される。また，本願明細書の実施例等を参酌しても，これらの効果に関する実施データは示されていない。
　したがって，本願発明１の効果が，当業者の予測を超えて優れているものであるとはいえない。
　
２−２．本願発明８について
（１）対比
　本願発明８と引用発明とを対比する。
　本願発明８は，「請求項１〜７の何れか一項に記載の方法により製造された、処理されたアミン反応生成物。」であるから，請求項１を引用した場合，２−１．（１）で対比したように，両者は，
「第１級アミン官能基を含む化合物と、活性アルデヒド含有成分とによる、アミン反応生成物であって、
　前記第１級アミン官能基が、アミノアリールであり、
　前記活性アルデヒド含有成分が、香料であり、
　前記活性アルデヒド含有成分と、前記第１級アミン官能基を含む化合物とを反応させて、形成したアミン反応生成物」
である点で一致し，
　前者が「処理されたアミン反応生成物の粒子を製造する方法であって、
　ａ）前記アミン反応生成物を用意し、及び
　ｂ）前記アミン反応生成物をキャリヤー共に混合することを含んでなり、
　前記キャリヤーが、有機重合体状化合物、ワックス、パラフィン、オイル、グリセリド、モノグリセリド、ジグリセリド、トリグリセリド、陰イオン系界面活性剤、非イオン系界面活性剤、陽イオン系界面活性剤、双生イオン系界面活性剤、およびそれらの混合物からなる群から選択されてなるものであり、かつ、融点が３０℃〜１３５℃のものであり、　前記アミン反応生成物の量が、前記処理されたアミン反応生成物の１重量％〜７５重量％の範囲である、方法で製造されたアミン反応生成物。」であるのに対して後者が処理されていない「アミン反応生成物」そのものである点（以下「相違点２」という。）で相違する。
　
（２）相違点２の判断
　相違点２は，カテゴリーが異なるだけで，実質的に相違点１と同じであるから，２−１．（２）で検討したとおり，上記相違点２も刊行物２，３の記載に基づいて当業者が容易に想到し得たことと認められ，また，効果においても格別のものが認められない。
　
２−３．小括
　以上のことから，本願発明１，８は，本願の優先日前に頒布された刊行物１〜３に記載された発明に基づいて，当業者が容易に発明をすることができたものといえる。
　
３．請求人の主張について
　請求人は，平成２０年８月２５日に提出した審判請求書の手続補正書において，以下の主張をしている。
（１）「本請求人（本願出願人）は本願の特許請求の範囲［請求項１］、［請求項２］及び［請求項９］を下記の通り、補正する予定でおります。ご無理を承知の上で、下記補正案の発明について、ご審理頂きますよう、心よりお願い申し上げます。
『［請求項１］（補正案）
　第１級および／または第２級アミン官能基を含む化合物と、活性ケトンまたはアルデヒド含有成分とにより、処理されたアミン反応生成物の粒子を製造する方法であって、
　前記第１級および／または第２級アミン官能基が、アミノアリール、ポリアミン、アミノ酸、ポリアミノ酸、グルカミン、デンドリマー、分子量が６００〜５０、０００のポリビニルアミン、分子量が４００〜３００，０００のアミノ置換されたポリビニルアルコール、ポリオキシエチレンビス（アミン）、ポリオキシエチレンビス（６−アミノヘキシル）、直線状または分岐鎖状のＮ，Ｎ’−ビス−（３−アミノプロピル）−１，３−プロパンジアミン、１，４−ビス−（３−アミノプロピル）ピペラジン、及びこれらの混合物からなる群から選択されてなるものであり、
　前記活性ケトンまたはアルデヒド含有成分が、
炭素数が少なくとも１のものであり
をさらに含んでなる
　前記活性ケトンまたはアルデヒド含有成分と、前記第１級および／または第２級アミン官能基を含む化合物とを反応させて、アミン反応生成物を形成し、
　ａ）前記アミン反応生成物を用意し、及び
　ｂ）前記アミン反応生成物をキャリヤー共に混合することを含んでなり、
　前記キャリヤーが、有機重合体状化合物、ワックス、パラフィン、オイル、グリセリド、モノグリセリド、ジグリセリド、トリグリセリド、陰イオン系界面活性剤、非イオン系界面活性剤、陽イオン系界面活性剤、双生イオン系界面活性剤、およびそれらの混合物からなる群から選択されてなるものであり、かつ、融点が３０℃〜１３５℃のものであり、
　前記アミン反応生成物の量が、前記処理されたアミン反応生成物の１重量％〜７５重量％の範囲である、方法。』
『［請求項２］（補正案）
　前記アミン反応生成物と前記キャリヤーを混合し混合物を形成するものであり、前記混合物が個体上に吸着されてなる、請求項１に記載の方法。』
『［請求項９］（補正案）
　一種以上の洗濯成分と、請求項８に記載の処理されたアミン反応生成物とを含んでなる、最終組成物。』」
（２）「引用文献２は、分子量が１５０〜３５０の低分子量のアミンが開示されておりますが、このようなアミンは、伝統的なシッフ塩基を形成することに使用されるものです。引用文献３（審決注：刊行物１）は、メチルアントラニル酸が開示され、これもまた非常に低分子量のものであり、この物質もまた、伝統的なシッフ塩基を形成することに使用されるものです。しかしながら、伝統的なシッフ塩基、特にメチルアントラニル酸は、アミンタイプの臭気を放出するものであり、この臭気は香料（水）のような強く所望される臭気を放出するものとされております。
　一方、本発明者等は、本発明において、低分子量のアミンがそのような臭気上の問題を有することを見い出し、かつ、高分子量のアミンが、本願発明のようなアミン反応生成物を提供するのに有用であることを認識するに至ったのです。つまり、本願発明が採用する高分子量のアミンは、非常に高い分子量を有することから、容易にアミン臭気を発生させるものではないことを突き止めたのです。このことから、本願発明はその発明特定事項として、『前記第１級および／または第２級アミン官能基が、アミノアリール、ポリアミン、アミノ酸、ポリアミノ酸、グルカミン、デンドリマー、分子量が６００〜５０、０００のポリビニルアミン、分子量が４００〜３００，０００のアミノ置換されたポリビニルアルコール、ポリオキシエチレンビス（アミン）、ポリオキシエチレンビス（６−アミノヘキシル）、直線状または分岐鎖状のＮ，Ｎ’−ビス−（３−アミノプロピル）−１，３−プロパンジアミン、１，４−ビス−（３−アミノプロピル）ピペラジン、及びこれらの混合物からなる群から選択されてなるもの』を採用しているのです。上記列記された化合物は、明らかに高分子量のアミンであることが理解されます。
　また、本願明細書［００１５］乃至［００１８］において、本願発明において使用される第１級および／または第２級アミン官能基を含む化合物が、アミン臭気を発生させないものであることを、臭気強度インデックス法により具体的に評価しております。また、伝統的なシッフ塩基（特にメチルアントラニル酸）が強い臭気を放つことは当業者であれば当然に理解しているものであり、本願発明がこれらのものと比較して臭気が顕著に改善されているものであることが理解されます。従って、当業者であれば、本願発明の出願明細書に開示された事項並びに洗剤処方物の例を参照すれば、本願発明がどのような効果を発揮するか当然に理解するはずです。
　さらに、米国特許庁審査官も本願対応米国特許出願について、本願と同様の引用文献（特に、引用文献２及び４）（審決注：原査定の引用文献２及び４）を十分熟考し、かつ、本願発明の効果を認識した上で、本願発明の進歩性（非自明性）を判断し、特許許可を行っております。
　従って、本願発明は、御認定に該当せず引用文献の組み合わせから当業者が容易に成し得たものではありません。」
　
　主張（１）について検討する。
　請求人は，審査請求時に補正する機会があったにもかかわらず，補正をしなかったもので，この補正案を審理対象とすることはできず，この主張はそもそも採用できないものである。
　仮に，主張（１）の実質的内容をくみ取って，本願発明１，８が，「前記活性ケトンまたはアルデヒド含有成分が，炭素数が少なくとも１のものであり」との発明特定事項を含むとしても，引用発明の「３−フェニルブタナール」も「炭素数が少なくとも１のもの」の「アルデヒド含有成分」であることは明らかであるから，この点において，本願発明１又は８と引用発明との間に相違点はない。
　主張（２）について検討する。
　上記２−１．（１）でも述べたように，本願発明１，８において，「第１級および／または第２級アミン官能基を含む化合物」の「アミノアリール」として，引用発明における「アントラニル酸メチル」が含まれるから，この主張は特許請求の範囲の記載に基づかないものといわざるを得ない。
　確かに，本願明細書の段落番号［００１５］乃至［００１８］において，本願発明において使用される第１級および／または第２級アミン官能基を含む化合物が，アミン臭気を発生させないものであることを，臭気強度インデックス法により具体的に評価していることは記載されているものの，これらの記載が，本願発明１，８において，「アントラニル酸メチル」を除くことを意味するものと認められないことは，２−１．（１）で述べたとおりである。
　なお，米国特許庁による本願対応米国特許出願についての特許性の判断が我が国特許庁の特許性の判断に何ら影響を与えるものではない。
　いずれにしても，主張（２）は採用することができない。
　
４．まとめ
　したがって，本願発明１，８は，本願の優先日前に頒布された刊行物１〜３に記載された発明に基づいて当業者が容易に発明をすることができたものであるから，特許法第２９条第２項の規定により特許を受けることができない。
　
第６．むすび 
　以上のとおり，本願発明１，８は，特許を受けることができないものであるから，その余のことを検討するまでもなく，本願は拒絶すべきものである。
　よって，結論のとおり審決する。